(57)【要約】      （修正有）【課題】毛布に掛、敷、足温器、ひざ掛の機能を総べて保有させる。使用中の熱の放散流出のロスを少なくすること。【解決手段】発熱用電線の配列を電気毛布の「２つ折り」に合致させる。オープンファスナーＣ，Ｄ，Ｅ，ＦとスナップファスナーＧ，Ｈ，Ｉ，Ｊ，Ｋ，Ｌ，Ｍ，Ｎ（１４ミリ）を使用し、毛布を「袋」状叉は「きんちゃく」状とし、熱気の保存と流出を防止する。足温機能向上する為、毛布の足許部分を「折り返し」加熱する。【選択図】図１
0003130367.tif 000002
【実用新案登録請求の範囲】
【請求項１】
電気毛布の面積を２分し、２つ折り附近を除き並行配線した等温発熱用電線ＡとＢを毛布に縫い付ける。Ｐ点附近には強度補強パイプを附加する。
毛布を「２つ折り」し、且つ「袋」状を形成する為、毛布の縦、横の縁端にオープンファスナーＣ＋Ｄ，Ｅ＋Ｆを取り付ける。
【請求項２】
足温効果を重点的に強化する為、「袋」状の足許部分を「折り返し」状態とする。其のた為スナップファスナーＩ＋Ｊ，Ｋ＋Ｌ，Ｍ＋Ｎを取り付ける。
加熱した暖空気の流出を止めるためスナップファスナーＧ＋Ｈを取り付け、毛布の形態を「袋」状から「きんちゃく」状とする。
【考案の詳細な説明】
【技術分野】
【０００１】  本考案は保健用電気毛布の性能向上に関する
【背景技術】
【０００２】  在来の電気掛敷毛布は、主として寒季の就寝時に布団と併用して使用され、毛布を平面的に展開して均等加熱する方式である。
足許の加熱には足温器、膝附近の保温には「膝かけ」毛布が各々別個に存在し使用されている。
【考案の開示】
【考案が解決しようとする課題】
【０００３】  在来型の使用上の不便は次の通り。
１  在来の電気掛敷毛布では立体的に展開して使用するには不向きである。（体に巻き付けるか、マントまがいの用法しかない？）
２  腰掛けながら執務、学習、ＴＶ観賞等立体的姿勢の個人の下半身用煖房器具としては足温器と膝掛が別個では手もかかるし熱効率も良く無い。
【課題を解決するための手段】
【０００４】    本考案では、足温器と「膝掛」の一体化と足温強化の施策を実施。
１  毛布裏側に、展開平面図のごとく２つ折り附近を除き、等間隔並行に発熱用電線ＡとＢを縫い付ける。
２  発熱用電線Ａ，Ｂの端末はコネクターを経て電源接、断および温度調節するコントローラーＸに接続する。
３  毛布の「２つ折り」に使用するオープンファスナーＣとＤ，ＥとＦは各々ワンペアーを形成し、両ファスナーを同時にクローズすると毛布は「袋」状となる。
４  毛布とコントローラーＸを接続するコネクターＱと、温度管理を行うコントローラーを使用者の右手に近くに置くため、「２つ折り」は加熱用電線Ｂを加熱用電線Ａの上に重ねる。
５  加熱用電線Ｂの表面上に、スナップファスナー（直径１４ミリ程度）ＩとＪ，ＫとＬ，ＭとＮを縫い付け、スナップを結合すると電気毛布の裾、則ち足許部分は「折り返し」状態になる。
６  同様なスナップファスナーＧとＨを毛布上端に縫い付け、結合させると、毛布上端を閉じ「袋」状は「きんちゃく」状となる。
７  毛布表に足許方向を示す矢印マークを表示する。
【考案の効果】  本考案は、作業工程も少なく、追加する部品もまた廉価であるにも拘わらず結果は、誰からも簡単に評価され、喜ばれる。ファスナーさえ使用しなければ、在来型の掛敷電気毛布であることには変わりがない。
【考案を実施するための最良の形態】
【０００６】  本考案では、発熱用電線の配置はＡ＋Ｂと連続しているが「２つ折」する場合の「ねじれ」を考慮し、ＡとＢへの電力供給は別個独立させ且つコネクターも４接点に変更する。【０００７】
【図１】
本考案に係わる発熱用電線、ファスナー、コネクターと、別に付属するコントローラーを示す平面図。
【図２】
腰掛け「こたつ」の使用形態側面図。
【図１】
0003130367.tif 000003
【図２】
0003130367.tif 000004
【手続補正書】
【提出日】平成18年10月18日(2006.10.18)
【手続補正１】
【補正対象書類名】実用新案登録請求の範囲
【補正対象項目名】全文
【補正方法】変更
【補正の内容】
【実用新案登録請求の範囲】
【請求項１】
電気毛布の発熱と保温に関する構造について
足許を含む下半身の煖房を、単一の発熱用電線で足温器と膝掛毛布の両機能を可能にする電気毛布において
１  電気毛布の面積を２等分し、２つ折線に平行且つ等間隔の発熱用電線を縫い付けると共に、２つ折りに重ねた状態の左右と下の縁端にオープンファスナーを取り付け、ファスナーの使用によって電気毛布を「袋」状とし、其の中に下半身を取り込むことを可能とする
２  足許附近の加熱を特に強力に実施したい場合は、既に２つ折り状態になっている電気毛布の足許部分を「折り返し」状態とするため６個のスナップファスナー（直径１４ミリ位）を取り付ける
以上の記述を特徴とする腰掛け「こたつ」と称する電気毛布。
【手続補正２】
【補正対象書類名】明細書
【補正対象項目名】全文
【補正方法】変更
【補正の内容】
【考案の詳細な説明】
【技術分野】
【０００１】本考案は保健用電気毛布の性能向上に関する
【背景技術】
【０００２】在来の電気掛敷毛布は、主として寒季の就寝時に布団と併用して使用され、毛布を平面的に展開して均等加熱する方式である。
足許の加熱には足温器、膝附近の保温には「膝かけ」毛布が各々別個に存在し使用されている。
【考案の開示】
【考案が解決しようとする課題】
【０００３】  在来型の使用上の不便は次の通り。
１  在来の電気掛敷毛布では立体的に展開して使用するには不向きである。（体に巻き付けるか、マントまがいの用法しか無い？）
２  腰掛けながら執務、学習、ＴＶ観賞等立体的姿勢の個人の下半身用煖房器具としては足温器と膝掛が別個では手もかかるし熱効率も良く無い。
【課題を解決するための手段】
【０００４】    本考案では、足温器と「膝掛」の一体化と足温強化の施策を実施。
１  毛布裏側に、図１平面図のごとく２つ折り附近を除き、等間隔並行に発熱用電線ＡとＢを縫い付ける。
２  発熱用電線Ａ，Ｂの端末はコネクターを経て電源接、断および温度調節するコントローラーＸに接続する。
３  毛布の「２つ折り」に使用するオープンファスナーＣとＤ、ＥとＦは各々ワンペアーを形成し、両ファスナーを同時にクローズすると毛布は「袋」状となる。
４  毛布とコントローラーＸを接続するコネクターＱと、温度管理を行うコントローラーを使用者の右手に以近くに置くため、「２つ折り」は加熱用電線Ｂを加熱用電線Ａの上に重ねる。
５  加熱用電線Ｂの表面上に、スナップファスナー（直径１４ミリ程度）ＩとＪ、ＫとＬ、ＭとＮを縫い付け、スナップを結合すると電気毛布の裾、則ち足許部分は「折り返し」状態になる。
６  同様なスナップファスナーＧとＨを毛布上端に縫い付け、結合させて毛布上端を閉じると、毛布は「袋」状から「きんちゃく」状となる。
７  毛布表に足許方向を示す矢印マークを表示する。
【考案の効果】
【０００５】  本考案は、作業工程も少なく、追加する部品もまた廉価であるに拘わらず、誰からも簡単に評価され喜ばれる。しかもファスナーを全く使用しない場合は在来型の掛敷電気毛布として使用できる。
【考案を実施するための最良の形態】
【０００６】  本考案で発熱用電線の配置はＡ＋Ｂと連続しているが「２つ折り」する場合の「ねじれ」を考慮し、ＡとＢへの電力供給は別個独立させ且つコネクターも４接点に変更する。
【図面の簡単な説明】
【０００７】
【図１】  本考案に係わる発熱用電線、ファスナー、コネクターと別に付属するコントローラーを示す平面図。
【図２】  腰掛け「こたつ」の使用形態側面図
【手続補正書】
【提出日】平成18年12月14日(2006.12.14)
【手続補正１】
【補正対象書類名】実用新案登録請求の範囲
【補正対象項目名】全文
【補正方法】変更
【補正の内容】
【実用新案登録請求の範囲】
【請求項１】
電気毛布の発熱と保温に関する構造について
足許を含む下半身の煖房を、単一の発熱用電線で足温器と膝掛毛布の両機能を可能にする電気毛布において
１  電気毛布の面積を２等分し、２つ折線に平行且つ等間隔の発熱用電線を縫い付けると共に、２つ折りに重ねた状態の左右と下の縁端にオープンファスナーを取り付け、ファスナーの使用によって電気毛布を「袋」状とし、其の中に下半身を取り込むことを可能とする
２  足許附近の加熱を特に強力に実施したい場合は、既に２つ折り状態になっている電気毛布の足許部分を「折り返し」状態とするため６個のスナップファスナーを、「毛布の２つ折り線」に平行な３個の垂直線と、毛布の「折り返し線」に平行で且つ上下対称の位置に１個づつの水平線を描き、其の交点に取り付ける。
以上の記述を特徴とする腰掛け「こたつ」と称する電気毛布。